(57)【特許請求の範囲】
【請求項１】
第１のリフレクタと、
第２のリフレクタと、
前記第１のリフレクタと前記第２のリフレクタとの間に配置される少なくとも一つの光源と、
前記光源を支持し、前記第１のリフレクタ及び前記第２のリフレクタに接触するカバープレートと、
前記第２のリフレクタと対向するように配置される光学部材と、を含み、
前記第２のリフレクタは、少なくとも２個の傾斜面を含み、前記少なくとも２個の傾斜面は、変曲点を中心に隣接する第１及び第２の傾斜面を含み、
前記第１の傾斜面は第１の端を含み、前記第２の傾斜面は第２の端を含み、
前記第１の傾斜面は、前記第１の端から前記変曲点に向かって下方に傾斜し、前記第２の傾斜面は、前記変曲点から前記第２の端に向かって上方に傾斜し、前記第１の傾斜面と前記第２の傾斜面の曲率半径は互いに同一であるか又は異なり、
前記カバープレートは、
前記第１のリフレクタが付着される第１の面と、前記第１の面と対向し、多数の第１の突出部を有する第２の面と、を備える第１のセグメントを含み、
前記光学部材は、前記第１のセグメントの前記各第１の突出部のうちいずれか一つによって支持されるディスプレイ装置。
【請求項２】
前記変曲点を通過する第１の水平線と前記第１の傾斜面の前記第１の端を通過する第２の水平線との間の第１の距離値は、前記変曲点を通過する前記第１の水平線と前記第２の傾斜面の前記第２の端を通過する第３の水平線との間の第２の距離値より小さい、請求項１に記載のディスプレイ装置。
【請求項３】
前記変曲点を通過する第１の水平線と前記第１の傾斜面の前記第１の端を通過する第２の水平線との間の第１の距離値は、前記変曲点を通過する前記第１の水平線と前記第２の傾斜面の前記第２の端を通過する第３の水平線との間の第２の距離値より大きいか又は同一である、請求項１に記載のディスプレイ装置。
【請求項４】
前記変曲点を通過する第１の垂直線と前記第１の傾斜面の前記第１の端を通過する第２の垂直線との間の第３の距離値は、前記変曲点を通過する前記第１の垂直線と前記第２の傾斜面の前記第２の端を通過する第３の垂直線との間の第４の距離値より小さいか又は同一である、請求項１〜３のうちいずれか１項に記載のディスプレイ装置。
【請求項５】
前記変曲点を通過する第１の水平線と前記光源の一点を通過する第４の水平線との間の第５の距離値は、前記変曲点を通過する第１の水平線と前記第２の傾斜面の前記第２の端を通過する第３の水平線との間の第２の距離値より大きい、請求項１〜４のうちいずれか１項に記載のディスプレイ装置。
【請求項６】
前記第１の傾斜面は前記光源に隣接し、前記第１の傾斜面の曲率半径が前記第２の傾斜面の曲率半径より小さい、請求項１〜５のうちいずれか１項に記載のディスプレイ装置。
【請求項７】
前記第１の距離値と前記第２の距離値との比は１：０．０１〜１：１である、請求項３に記載のディスプレイ装置。
【請求項８】
前記第１の傾斜面の曲率半径と前記第２の傾斜面の曲率半径との比は、１：１．１〜１：１０である、請求項１〜７のうちいずれか１項に記載のディスプレイ装置。
【請求項９】
前記第３の距離値と前記第４の距離値との比は１：１〜１：２０である、請求項４に記載のディスプレイ装置。
【請求項１０】
前記第１の距離値と前記第２の距離値との比は１：１．１〜１：５である、請求項２に記載のディスプレイ装置。
【請求項１１】
前記第１のリフレクタは、前記光源に隣接する第３の端と、前記第３の端と対向する第４の端と、を含み、前記第３の端と前記第４の端との間の距離値は３mm〜３０mmである、請求項１〜１０のうちいずれか１項に記載のディスプレイ装置。
【請求項１２】
前記光源を支持し、前記光源、前記第１のリフレクタ及び前記第２のリフレクタのうち少なくともいずれか１ヶ所に接触し、前記光源から発生する熱を放出する放熱部をさらに含み、
前記放熱部は、
前記第１のリフレクタに接触する第１の領域、前記第１の領域から延長されて前記光源に接触する第２の領域、及び前記第２の領域から延長されて前記第２のリフレクタに接触する第３の領域のうち少なくともいずれか一つの領域に突出して形成された多数の放熱突
出ラインを含む、請求項１〜１１のうちいずれか１項に記載のディスプレイ装置。
【請求項１３】
前記カバープレートは、
前記第１のセグメントから延長され、前記光源に隣接する第２の突出部と、前記第２の突出部に対向する面に形成される締結溝と、を備える第２のセグメント、及び
前記第２のセグメントから延長されて前記第２のリフレクタの一側に固定され、第３の突出部を備える第３のセグメントをさらに含む請求項１〜１２のうちいずれか１項に記載のディスプレイ装置。
【請求項１４】
前記カバープレートの一部をカバーし、前記カバープレートに固定されるパネル支持部をさらに含む、請求項１３に記載のディスプレイ装置。
【請求項１５】
前記第２のセグメントの前記第２の突出部は、前記光源の周辺に配置されて前記光源を支持する、請求項１３又は１４に記載のディスプレイ装置。
【請求項１６】
前記第２のリフレクタと前記カバープレートは互いに異なる材質からなる、請求項１３〜１５のうちいずれか１項に記載のディスプレイ装置。
【請求項１７】
ディスプレイパネルをさらに含み、
前記少なくとも一つの光源から放出された光は前記ディスプレイパネルに照射される、請求項１〜１６のうちいずれか１項に記載のディスプレイ装置。
【請求項１８】
前記パネル支持部は、
前記第１のセグメントの前記第１の突出部の間に挿入される第４の突出部と、
前記第２のセグメントの前記締結溝に挿入される第５の突出部と、を含む請求項１４に記載のディスプレイ装置。
【請求項１９】
前記第３のセグメントの第３の突出部は、
突出部と、
前記突出部から延長され、前記突出部が突出した方向に対して垂直な方向に曲がり、前記第２のリフレクタに固定される連結部と、を含む請求項１３に記載のディスプレイ装置。
【請求項２０】
前記第２のリフレクタは、下部面から突出して前記カバープレートを固定する固定部を含む、請求項１３に記載のディスプレイ装置。
【請求項２１】
前記第１のリフレクタは、前記光源に隣接する第３の端と、前記第３の端と対向する第４の端と、を含み、前記変曲点を通過する第１の垂直線と前記第１のリフレクタの前記第４の端を通過する第４の垂直線との間の第６の距離値は、前記第１のリフレクタの前記第３の端と前記第４の端との間の距離値より大きい、請求項１〜２０のうちいずれか１項に記載のディスプレイ装置。
【請求項２２】
前記多数の放熱突出ラインのうち少なくともいずれか一つは高さが異なる、請求項１２に記載のディスプレイ装置。
【請求項２３】
前記多数の放熱突出ラインのうち少なくともいずれか一つは厚さが異なる、請求項１２に記載のディスプレイ装置。
【請求項２４】
前記放熱部の前記第２の領域の厚さは、前記放熱部の前記第１の領域及び前記第３の領域の厚さより厚い、請求項１２に記載のディスプレイ装置。
【請求項２５】
前記第２のセグメントと前記光源との間、及び前記第２の突出部と前記光源との間のうち少なくともいずれか１ヶ所に配置されるサーマルパッドをさらに含む、請求項１３に記載のディスプレイ装置。
【発明の詳細な説明】
【技術分野】
【０００１】
実施例は、バックライトユニット及びそれを用いたディスプレイ装置に関するものである。
【背景技術】
【０００２】
一般に、代表的な大型ディスプレイ装置としては、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光方式のＰＤＰとは異なって、ＬＣＤは、自発的な発光素子の不在のため別途のバックライトユニットが必ず必要である。
【０００４】
ＬＣＤに使用されるバックライトユニットは、光源の位置によってエッジ（ｅｄｇｅ）方式のバックライトユニットと直下方式のバックライトユニットとに区分されるが、エッジ方式では、ＬＣＤパネルの左右側面又は上下側面に光源を配置し、導光板を用いて光を全面に均一に分散させるので、光の均一性が良く、パネル厚さの超薄型化が可能である。
【０００５】
直下方式は、通常２０インチ以上のディスプレイに使用される技術であって、パネルの下部に複数の光源を配置するので、エッジ方式に比べて光効率に優れるという長所を有し、高輝度を要求する大型ディスプレイに主に使用される。
【０００６】
既存のエッジ方式や直下方式のバックライトユニットの光源としては、ＣＣＦＬ（Ｃｏｌｄ  Ｃａｔｈｏｄｅ  Ｆｌｕｏｒｅｓｃｅｎｔ  Ｌａｍｐ）を用いた。
【０００７】
しかし、ＣＣＦＬを用いたバックライトユニットでは、常にＣＣＦＬに電源が印加されるので、相当量の電力消耗をもたらし、ＣＲＴに比べて約７０％水準の色再現率、水銀の添加による環境汚染問題などが短所として指摘されている。
【０００８】
前記問題を解消するための代替品として、現在、ＬＥＤ（Ｌｉｇｈｔ  Ｅｍｉｔｔｉｎｇ  ｄｉｏｄｅ）を用いたバックライトユニットに対する研究が活発に行われている。
【０００９】
ＬＥＤをバックライトユニットに使用する場合、ＬＥＤアレイの部分的なオン／オフが可能であり、消耗電力を画期的に減少させることができる。特に、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より生々しい画質を消費者に提供することができる。
【００１０】
また、半導体工程で製作されるＬＥＤは、環境に無害であるという特徴を有する。
【００１１】
現在、前記のような長所を有するＬＥＤを採用したＬＣＤ製品が継続して市販されているが、既存のＣＣＦＬ光源とは異なる駆動メカニズムを有するので、駆動ドライバー、ＰＣＢ基板などが高価である。
【００１２】
したがって、ＬＥＤバックライトユニットは、未だに高価なＬＣＤ製品のみに適用されている。
【発明の概要】
【発明が解決しようとする課題】
【００１３】
実施例は、曲率半径が互いに異なる傾斜面を有するリフレクタを用いて、軽量化及び大量生産が可能なエアガイドを有するバックライトユニット及びそれを用いたディスプレイ装置を提供しようとする。
【課題を解決するための手段】
【００１４】
実施例は、第１のリフレクタと、第２のリフレクタと、第１及び第２のリフレクタの間に配置される少なくとも一つの光源とを含み、第２のリフレクタは、少なくとも一つの変曲点を有する少なくとも２個の傾斜面を含み、変曲点を中心に隣接する第１及び第２の傾斜面の曲率半径は互いに同一又は異なる。
【００１５】
ここで、第１の傾斜面は光源に隣接し、第１の傾斜面の曲率半径が第２の傾斜面の曲率半径より小さい。
【００１６】
そして、変曲点をつなぐ第１の水平線と第１の傾斜面の端の一点をつなぐ第２の水平線との間の第１の距離は、変曲点をつなぐ第１の水平線と第２の傾斜面の端の一点をつなぐ第３の水平線との間の第２の距離より小さい。
【００１７】
そして、変曲点をつなぐ第１の水平線と第１の傾斜面の端の一点をつなぐ第２の水平線との間の第１の距離は、変曲点をつなぐ第１の水平線と第２の傾斜面の端の一点をつなぐ第３の水平線との間の第２の距離より大きいか又は同一である。
【００１８】
そして、変曲点をつなぐ第１の垂直線と第１の傾斜面の端の一点をつなぐ第２の垂直線との間の第３の距離は、変曲点をつなぐ第１の垂直線と第２の傾斜面の端の一点をつなぐ第３の垂直線との間の第４の距離より小さいか又は同一である。
【００１９】
そして、変曲点をつなぐ第１の水平線と光源の一点をつなぐ第４の水平線との間の第５の距離は、変曲点をつなぐ第１の水平線と第２の傾斜面の端の一点をつなぐ第３の水平線との間の第２の距離より大きい。
【００２０】
また、実施例は、光源を支持し、光源、第１のリフレクタ及び第２のリフレクタのうち少なくともいずれか１ヶ所に接触して光源から発生する熱を放出する放熱部をさらに含み、放熱部は、第１のリフレクタに接触する領域、第２のリフレクタに接触する領域、及び光源に接触する領域のうち少なくともいずれか一つの領域に多数の放熱突出ラインが配列される。
【００２１】
また、実施例は、光源を支持し、第１のリフレクタと第２のリフレクタに接触するカバープレートをさらに含み、カバープレートは、第１のリフレクタが付着される第１の面と、第１の面と対向し、多数の第１の突出部を有する第２の面とを備える第１のセグメントと；第１のセグメントから延長され、光源に隣接する第２の突出部と、第２の突出部に対向する面に形成される締結溝とを備える第２のセグメントと；第２のセグメントから延長されて第２のリフレクタの一方の側に固定され、第３の突出部を備える第３のセグメントと；を含むことができる。
【発明の効果】
【００２２】
実施例によると、曲率半径が互いに異なる傾斜面を有するリフレクタを用いて、軽量化及び大量生産が可能なエアガイドを有するバックライトユニット及びそれを用いたディスプレイ装置を提供することができる。
【図面の簡単な説明】
【００２３】
【図１Ａ】実施例に係る２エッジタイプのバックライトユニットを説明するための図である。
【図１Ｂ】実施例に係る２エッジタイプのバックライトユニットを説明するための図である。
【図１Ｃ】実施例に係る２エッジタイプのバックライトユニットを説明するための図である。
【図１Ｄ】実施例に係る２エッジタイプのバックライトユニットを説明するための図である。
【図２Ａ】第２のリフレクタの第１の傾斜面と第２の傾斜面における曲率半径の差を示す図である。
【図２Ｂ】第２のリフレクタの第１の傾斜面と第２の傾斜面における曲率半径の差を示す図である。
【図３Ａ】カバープレート及びパネル支持部を詳細に示す図である。
【図３Ｂ】カバープレート及びパネル支持部を詳細に示す図である。
【図４】図３Ｂの第１のセグメントを詳細に示す図である。
【図５Ａ】図４の第１の突出部の上部表面を示す図である。
【図５Ｂ】図４の第１の突出部の上部表面を示す図である。
【図５Ｃ】図４の第１の突出部の上部表面を示す図である。
【図５Ｄ】図４の第１の突出部の上部表面を示す図である。
【図６Ａ】パネル支持部がカバープレートに締結される形状を示す図である。
【図６Ｂ】パネル支持部がカバープレートに締結される形状を示す図である。
【図６Ｃ】パネル支持部がカバープレートに締結される形状を示す図である。
【図７Ａ】放熱部の位置を示す図である。
【図７Ｂ】放熱部の位置を示す図である。
【図７Ｃ】放熱部の位置を示す図である。
【図８】放熱突出ラインの断面を示す図である。
【図９Ａ】放熱突出ラインの形状を示す図である。
【図９Ｂ】放熱突出ラインの形状を示す図である。
【図１０】放熱突出ライン領域に形成される溝を示す図である。
【図１１】２エッジ方式のバックライトユニットに適用される放熱部の位置を示す図である。
【図１２Ａ】第２のリフレクタを含むボトムカバーを示す図である。
【図１２Ｂ】第２のリフレクタを含むボトムカバーを示す図である。
【図１２Ｃ】第２のリフレクタを含むボトムカバーを示す図である。
【図１２Ｄ】第２のリフレクタを含むボトムカバーを示す図である。
【図１３Ａ】放熱突出ライン及び第１のリフレクタを含むカバープレートを示す図である。
【図１３Ｂ】放熱突出ライン及び第１のリフレクタを含むカバープレートを示す図である。
【図１３Ｃ】放熱突出ライン及び第１のリフレクタを含むカバープレートを示す図である。
【図１４Ａ】パネル支持部を含むパネルガイドを示す図である。
【図１４Ｂ】パネル支持部を含むパネルガイドを示す図である。
【図１４Ｃ】パネル支持部を含むパネルガイドを示す図である。
【図１５Ａ】ボトムカバー、カバープレート及びパネルガイドが結合されたバックライトユニットを示す図である。
【図１５Ｂ】ボトムカバー、カバープレート及びパネルガイドが結合されたバックライトユニットを示す図である。
【図１５Ｃ】ボトムカバー、カバープレート及びパネルガイドが結合されたバックライトユニットを示す図である。
【図１６】ボトムカバーの下部に配置される回路装置を示す図である。
【図１７】実施例に係るバックライトユニットを有するディスプレイモジュールを示す図である。
【図１８】実施例に係るディスプレイ装置を示した図である。
【図１９】実施例に係るディスプレイ装置を示した図である。
【発明を実施するための形態】
【００２４】
以下、各実施例を添付の図面を参照して説明する。
【００２５】
本実施例の説明において、各構成要素の「上又は下」に形成されると記載される場合において、上又は下は、二つの構成要素が互いに直接接触したり、一つ以上の他の構成要素が前記二つの構成要素の間に配置されて形成されることを全て含む。
【００２６】
また、「上又は下」と表現される場合、一つの構成要素を基準にして上側方向のみならず、下側方向の意味も含むことができる。
【００２７】
図１Ａ〜図１Ｃは、実施例に係る２エッジタイプのバックライトユニットを説明するための図で、図１Ａは上面斜視図で、図１Ｂは下面斜視図で、図１Ｃ及び図１Ｄは断面図である。
【００２８】
図１Ａ〜図１Ｃに示すように、バックライトユニットは、少なくとも一つの光源を含む光源モジュール１００、第１のリフレクタ２００及び第２のリフレクタ３００を含むことができる。
【００２９】
ここで、光源モジュール１００は、第１のリフレクタ２００と第２のリフレクタ３００との間に位置し、第１のリフレクタ２００又は第２のリフレクタ３００に隣接して配置される。
【００３０】
場合に応じて、光源モジュール１００は、第１のリフレクタ２００に接触すると同時に、第２のリフレクタ３００から一定間隔だけ離隔して配置されるか、又は、第２のリフレクタ３００に接触すると同時に、第１のリフレクタ２００から一定間隔だけ離隔して配置される。
【００３１】
また、光源モジュール１００は、第１のリフレクタ２００と第２のリフレクタ３００から一定間隔だけ離隔して配置されるか、又は、第１のリフレクタ２００と第２のリフレクタ３００に同時に接触することもある。
【００３２】
そして、光源モジュール１００は、電極パターンを有する回路基板、及び光を生成する発光素子を含むことができる。
【００３３】
このとき、回路基板には、少なくとも一つの発光素子が実装され、電源を供給するアダプタと発光素子を連結するための電極パターンが形成されている。
【００３４】
例えば、回路基板の上面には、発光素子とアダプタを連結するための炭素ナノチューブ電極パターンが形成される。
【００３５】
このような回路基板は、ポリエチレンテレフタレート（ＰＥＴ）、ガラス、ポリカーボネート（ＰＣ）又はシリコン（Ｓｉ）などからなり、複数の光源１００が実装されるＰＣＢ（Ｐｒｉｎｔｅｄ  Ｃｉｒｃｕｉｔ  Ｂｏａｒｄ）基板であってもよく、フィルム状に形成されてもよい。
【００３６】
また、基板としては、単層ＰＣＢ、多層ＰＣＢ、セラミックス基板、メタルコアＰＣＢなどを選択的に使用することができる。
【００３７】
一方、発光素子は、発光ダイオードチップであって、発光ダイオードチップは、青色ＬＥＤチップ又は紫外線ＬＥＤチップで構成されるか、又は、赤色ＬＥＤチップ、緑色ＬＥＤチップ、青色ＬＥＤチップ、黄緑色ＬＥＤチップ、白色ＬＥＤチップのうち少なくとも一つ又はそれ以上を組み合わせたパッケージ形態で構成されることもある。
【００３８】
そして、白色ＬＥＤは、青色ＬＥＤ上に黄色燐光を結合したり、青色ＬＥＤ上に赤色燐光と緑色燐光を同時に使用して具現することができ、青色ＬＥＤ上に黄色燐光、赤色燐光及び緑色燐光を同時に使用して具現することもできる。
【００３９】
そして、第１のリフレクタ２００と第２のリフレクタ３００との間の空間にエアガイドが備えられるように、第１のリフレクタ２００と第２のリフレクタ２００は一定間隔だけ離隔して互いに対向することができる。
【００４０】
ここで、第１のリフレクタ２００は、オープン領域（開口領域）を有し、光源モジュール１００の一方の側に接触したり、又は、一定間隔だけ離隔して配置される。                
【００４１】
すなわち、第１のリフレクタ２００の中央領域が開口し、光源モジュール１００は、第１のリフレクタ２００の両側縁部領域に互いに対向するように配置される第１の光源モジュール及び第２の光源モジュールを含むことができる。
【００４２】
そして、第１のリフレクタ２００は、反射コーティングフィルム及び反射コーティング物質層のうちいずれか一つで形成され、光源モジュール１００から生成された光を第２のリフレクタ３００の方向に反射させる役割をすることができる。
【００４３】
また、第１のリフレクタ２００の表面のうち発光モジュール１００に対向する表面上には、鋸歯状の反射パターンが形成され、反射パターンの表面は平面又は曲面である。
【００４４】
第１のリフレクタ２００の表面に反射パターンを形成する理由は、光源モジュールから生成された光を第２のリフレクタ３００の中央領域に反射させることによって、バックライトユニットの中央領域において輝度を増加させるためである。
【００４５】
そして、第２のリフレクタ３００は、光源モジュール１００から一定間隔だけ離隔して配置され、第１のリフレクタ２００の表面に対して平行な水平面から一定角度だけ傾斜する傾斜面を有することができる。
【００４６】
ここで、第２のリフレクタ３００の傾斜面は、光源モジュール１００から生成された光又は第１のリフレクタ２００から反射された光を第１のリフレクタ２００のオープン領域に反射させる役割をすることができる。
【００４７】
また、第２のリフレクタ３００は、少なくとも一つの変曲点を有する少なくとも２個の傾斜面を含むことができる。
【００４８】
図２Ａ及び図２Ｂは、第２のリフレクタの第１の傾斜面と第２の傾斜面における曲率半径の差を示す図である。
【００４９】
図２Ａ及び図２Ｂに示すように、変曲点Ｐを中心に隣接する第１及び第２の傾斜面３０１、３０３の曲率半径Ｒ１、Ｒ２は互いに異なり得る。
【００５０】
そして、第１及び第２の傾斜面３０１、３０３の間の変曲点Ｐは、光源に隣接する第２のリフレクタ３００領域に位置することもできるが、光源から遠く離れた領域に位置することもできる。
【００５１】
すなわち、光源に隣接する第１の傾斜面３０１の曲率半径Ｒ１が第２の傾斜面３０３の曲率半径Ｒ２より小さい場合、変曲点Ｐは、光源に隣接する第２のリフレクタ３００領域に位置し、光源に隣接する第１の傾斜面３０１の曲率半径Ｒ１が第２の傾斜面３０３の曲率半径Ｒ２より大きい場合、変曲点Ｐは、光源から遠く離れた第２のリフレクタ３００領域に位置するようになる。
【００５２】
図２Ａの実施例では、第１の傾斜面３０１の曲率半径Ｒ１が第２の傾斜面３０３の曲率半径Ｒ２より小さく、第１の傾斜面３０１の最高高さＨ１と第２の傾斜面３０３の最高高さＨ２が同一であり、変曲点Ｐと第１の傾斜面３０１の端との間の距離Ｌ１が変曲点Ｐと第２の傾斜面３０３の端との間の距離Ｌ２より小さくなるように製作することができる。
【００５３】
そして、図２Ｂの実施例では、第１の傾斜面３０１の曲率半径Ｒ１が第２の傾斜面３０３の曲率半径Ｒ２より小さく、第１の傾斜面３０１の最高高さＨ１が第２の傾斜面３０３の最高高さＨ２より大きく、変曲点Ｐと第１の傾斜面３０１の端との間の距離Ｌ１が変曲点Ｐと第２の傾斜面３０３の端との間の距離Ｌ２より小さくなるように製作することができる。
【００５４】
以下では、光源モジュール１００と第１及び第２のリフレクタ２００、３００との間の配置関係をより詳細に説明する。
【００５５】
図１Ｃ及び図１Ｄに示すように、第１の傾斜面３０１は、光源モジュール１００に隣接し、第１の傾斜面３０１の曲率半径Ｒ１は、第２の傾斜面３０３の曲率半径Ｒ２より小さいか又は大きい。
【００５６】
場合によって、第１の傾斜面３０１の曲率半径Ｒ１が第２の傾斜面３０３の曲率半径Ｒ２と同一であることもある。
【００５７】
ここで、第１の傾斜面３０１の曲率半径Ｒ１と第２の傾斜面３０３の曲率半径Ｒ２との比は、１：０．１〜１：１０である。
【００５８】
そして、変曲点Ｐをつなぐ第１の水平線と第１の傾斜面３０１の端の一点をつなぐ第２の水平線との間の距離Ｄ１は、変曲点Ｐをつなぐ第１の水平線と第２の傾斜面３０３の端の一点をつなぐ第３の水平線との間の距離Ｄ２と同一である。
【００５９】
場合によって、変曲点Ｐをつなぐ第１の水平線と第１の傾斜面３０１の端の一点をつなぐ第２の水平線との間の第１の距離Ｄ１は、変曲点Ｐをつなぐ第１の水平線と第２の傾斜面３０３の端の一点をつなぐ第３の水平線との間の第２の距離Ｄ２より小さいか又は大きい。
【００６０】
ここで、第１の距離Ｄ１と第２の距離Ｄ２との比は、１：０．０１〜１：５である。
【００６１】
また、変曲点Ｐをつなぐ第１の垂直線と第１の傾斜面３０１の端の一点をつなぐ第２の垂直線との間の第３の距離Ｄ３は、変曲点Ｐをつなぐ第１の垂直線と第２の傾斜面３０３の端の一点をつなぐ第３の垂直線との間の第４の距離Ｄ４より小さいか又は大きい。
【００６２】
場合によっては、変曲点Ｐをつなぐ第１の垂直線と第１の傾斜面３０１の端の一点をつなぐ第２の垂直線との間の第３の距離Ｄ３は、変曲点Ｐをつなぐ第１の垂直線と第２の傾斜面３０３の端の一点をつなぐ第３の垂直線との間の第４の距離Ｄ４と同一でもある。
【００６３】
ここで、第３の距離Ｄ３と第４の距離Ｄ４との比は、１：０．０５〜１：２０である。
【００６４】
そして、変曲点Ｐをつなぐ第１の水平線と光源モジュール１００の一点をつなぐ第４の水平線との間の第５の距離Ｄ５は、変曲点Ｐをつなぐ第１の水平線と第２の傾斜面３０３の端の一点をつなぐ第３の水平線との間の第２の距離Ｄ２と同一である。
【００６５】
しかし、場合によっては、変曲点Ｐをつなぐ第１の水平線と光源モジュール１００の一点をつなぐ第４の水平線との間の第５の距離Ｄ５は、変曲点Ｐをつなぐ第１の水平線と第２の傾斜面３０３の端の一点をつなぐ第３の水平線との間の第２の距離Ｄ２より大きいこともある。
【００６６】
そして、第１のリフレクタ２００は、光源モジュール１００に隣接する第１の端と、第１の端と対向する第２の端とを含み、第１の端と第２の端との間の距離Ｄ７は、約３〜３０ｍｍである。
【００６７】
そして、変曲点Ｐをつなぐ第１の垂直線と第１のリフレクタ２００の第２の端をつなぐ第４の垂直線との間の第６の距離Ｄ６は、第１のリフレクタ２００の第１の端と第２の端との間の距離Ｄ７より大きいこともある。
【００６８】
また、図１Ｄに示すように、第２のリフレクタ３００の第２の傾斜面３０３は、第２のリフレクタ３００の中心領域を基準に対称に形成されるが、第２のリフレクタ３００の中心領域は凸状の曲面を有することができる。
【００６９】
場合によって、第２のリフレクタ３００の中心領域は、平らな平面、又は凹状の曲面を有することもできる。
【００７０】
すなわち、第２のリフレクタ３００の中心領域は、平らな平面、凸状の曲面及び凹状の曲面のうちいずれか一つの形状であるか、多数の形状を含むこともできる。
【００７１】
一方、光源モジュール１００は、第１のリフレクタ２００及び第２のリフレクタ３００のうち少なくともいずれか一つに接触することができる。
【００７２】
しかし、場合によっては、光源モジュール１００は、第１のリフレクタ２００から第１の距離だけ離隔し、第２のリフレクタ３００から第２の距離だけ離隔するように配置されることもある。
【００７３】
ここで、第２の距離は、第１の距離より大きいか又は小さい。
【００７４】
その理由は、発光モジュールから生成された光を第２のリフレクタ３００の中央領域に多く集中させ、バックライトユニットの中央領域において輝度を増加させるためである。
【００７５】
また、光学部材４００は、第１のリフレクタ２００に支持され、第２のリフレクタ２００と対向するように配置される。
【００７６】
ここで、光学部材４００は、少なくとも一つのシートからなるが、拡散シート、プリズムシート、輝度強化シートなどを選択的に含むことができる。
【００７７】
ここで、拡散シートは、光源から出射された光を拡散させ、プリズムシートは、拡散された光を発光領域にガイドし、輝度拡散シートは、輝度を強化させることができる。
【００７８】
そして、光学部材４００の上部表面及び下部表面のうち少なくともいずれか１ヶ所には、光の均一な拡散のために凹凸形状が備えられることもある。
【００７９】
そして、カバープレート５００は、第１のリフレクタ２００と第２のリフレクタ３００に接触し、これらを互いに固定することができる。
【００８０】
そして、パネル支持部６００は、カバープレート５００の一部をカバーし、カバープレート５００に固定されて配置される。
【００８１】
図３Ａ及び図３Ｂは、カバープレート及びパネル支持部を詳細に示す図である。
【００８２】
図３Ａ及び図３Ｂに示すように、カバープレート５００は、第１、第２及び第３のセグメント５１０、５３０、５５０で構成される。
【００８３】
第１のセグメント５１０は、第１のリフレクタ２００が付着される第１の面と、第１の面と対向し、多数の第１の突出部５１１を有する第２の面とを含むことができる。
【００８４】
そして、第２のセグメント５３０は、第１のセグメント５１０から延長され、光源モジュール１００に隣接する第２の突出部５３１と、第２の突出部５３１に対向する面に形成される締結溝５３３とを含むことができる。
【００８５】
そして、第３のセグメント５５０は、第２のセグメント５３０から延長されて第２のリフレクタ３００の一方の側に固定され、第３の突出部５５１を含むことができる。
【００８６】
ここで、光学部材４００は、第１のセグメント５１０の第１の突出部５１１のうちいずれか一つに支持され、第２のリフレクタ３００と対向するように配置される。
【００８７】
そして、パネル支持部６００は、カバープレート５００の一部をカバーし、カバープレート５００に固定される。
【００８８】
ここで、パネル支持部６００は、第４の突出部６１０及び第５の突出部６３０を含むが、第４の突出部６１０は、第１のセグメント５１０の第１の突出部５１１の間に挿入され、第５の突出部６３０は、第２のセグメント５３０の締結溝５３３に挿入される。
【００８９】
ここで、第１のセグメント５１０の第１の突出部５１１の間に挿入される第４の突出部６１０は、一つ又は多数である。
【００９０】
そして、第１のセグメント５１０の第１の突出部５１１は多数形成される。
【００９１】
図４は、図３Ｂの第１のセグメントを詳細に示す図である。
【００９２】
図４に示すように、第１のセグメント５１０は、第１の突出ライン５１１ａ及び第２の突出ライン５１１ｂを含むことができる。
【００９３】
第１の突出ライン５１１ａは、第１のセグメント５１０の縁部領域に少なくとも一つ配置される。
【００９４】
そして、第２の突出ライン５１１ｂは、少なくとも二つが第１の突出ライン５１１ａから離隔して配置される。
【００９５】
ここで、第１の突出ライン５１１ａの高さは、第２の突出ライン５１１ｂより低い。
【００９６】
その理由は、第１の突出ライン５１１ａが光学部材４００を支持する役割をし、それに隣接する第２の突出ライン５１１ｂが光学部材４００を安定的に固定する役割をするためである。
【００９７】
また、第１のセグメント５１０の第１の突出部５１１の上部表面は平面又は曲面である。
【００９８】
図５Ａ〜図５Ｄは、図４に示した第１の突出部の上部表面を示す図である。
【００９９】
第１の突出部５１１の上部表面は、図５Ａに示すように平面であってもよく、図５Ｂに示すように曲面であってもよい。
【０１００】
第１の突出部５１１は、光学部材４００を支持しなければならないので、可能な限り、光学部材４００との接触面積を減少させるために曲面に形成することができる。
【０１０１】
場合によって、光学部材４００との接触面積をより減少させるために、図５Ｃに示すように、第１の突出部５１１の上部表面に緩衝溝５２０をさらに形成することもできる。
【０１０２】
第１の突出部５１１の上部表面に形成される緩衝溝５２０は、図５Ｃのように多数でもよく、図５Ｄに示すように一つでもよい。
【０１０３】
一方、カバープレート５００の第２のセグメント５３０には第２の突出部５３１が形成されるが、第２の突出部５３１は、光源モジュール１００の周辺に配置され、光源モジュール１００を支持又は固定することができる。
【０１０４】
ここで、第２のセグメント５３０と光源モジュール１００との間及び第２の突出部５３１と光源モジュール１００との間のうち少なくともいずれか１ヶ所には、サーマルパッド１１０が配置される。
【０１０５】
サーマルパッド１１０は、光源モジュール１００を第２のセグメント５３０に支持させると同時に、光源モジュール１００から発生する熱を第２のセグメント５３０に伝達することができる。
【０１０６】
そして、カバープレート５００の第３のセグメント５５０は、第３の突出部５５１を含むことができる。
【０１０７】
ここで、第３の突出部５５１は、突出部５５１ａ及び連結部５５１ｂを含んで構成され、第２のリフレクタ３００の固定部３１０に固定される。
【０１０８】
第３の突出部５５１の突出部５５１ａは第１の方向に突出し、連結部５５１ｂは、突出部５５１ａから延長され、第１の方向に対して垂直な方向に曲がり、第２のリフレクタ３００の固定部３１０に固定される。
【０１０９】
そして、第３のセグメント５５０は、多数の放熱突出ライン５５３を含むことができる。
【０１１０】
多数の放熱突出ライン５５３は、図３Ａ及び図３Ｂに示すように、第３の突出部５５１から離隔して配置され、光源モジュール１００から発生した熱を放出する役割をすることができる。
【０１１１】
また、第２のリフレクタ３００は、カバープレート５００の第３のセグメント５５０を固定するための固定部３１０を含むことができる。
【０１１２】
ここで、第２のリフレクタ３００の固定部３１０は、第２のリフレクタ３００の下部面から突出して形成されるが、突出ボディー３１０ａ及び固定ボディー３１０ｂを含んで構成される。
【０１１３】
固定部３１０の突出ボディー３１０ａは第１の方向に突出し、固定ボディー３１０ｂは、突出ボディー３１０ａから延長され、第１の方向に対して垂直な第２の方向に曲がり、カバープレート５００の第３のセグメント５５０の第３の突出部５５１を固定することができる。
【０１１４】
固定部３１０の固定ボディー３１０ｂは、さらに延長されて第３のセグメント５５０の第３の突出部５５１全体をカバーすることもできる。
【０１１５】
図６Ａ〜図６Ｃは、パネル支持部がカバープレートに締結される形状を示す図である。
【０１１６】
図６Ａは、パネル支持部がカバープレートに締結された形状を示す断面図で、図６Ｂは、光源モジュールが配置された領域に位置するパネル支持部とカバープレートが締結された形状を示す図で、図６Ｃは、光源モジュールが配置されない領域に位置するパネル支持部とカバープレートが締結された形状を示す図である。
【０１１７】
図６Ａ〜図６Ｃに示すように、パネル支持部６００は、カバープレート５００の第１のセグメント５１０及び第２のセグメント５３０の一部をカバーするように配置される。
【０１１８】
パネル支持部６００は、第４の突出部６１０及び第５の突出部６３０を含むが、第４の突出部６１０は、第１のセグメント５１０の第１の突出部５１１の間に挿入され、第５の突出部６３０は、第２のセグメント５３０の締結溝５３３に挿入される。
【０１１９】
一方、カバープレート５００は、光源モジュール１００を支持し、第１のリフレクタ２００と第２のリフレクタ３００に接触し、光源モジュール１００から発生する熱を放出する放熱部の役割をすることができる。
【０１２０】
ここで、放熱部は、多数の放熱突出ライン５５３を含んで構成されるが、第１のリフレクタ２００に接触する領域、第２のリフレクタ３００に接触する領域、及び光源モジュール１００に接触する領域のうち少なくともいずれか一つの領域に配列される。
【０１２１】
ここで、各放熱突出ライン５５３は、互いに対向する第１及び第２の面を含み、第１の面の面積は第２の面より狭い台形状である。
【０１２２】
ここで、放熱突出ライン５５３の第２の面は、放熱突出ライン５５３の第１の面に比べて光源モジュール１００に近く配置される。
【０１２３】
その理由は、光源モジュール１００との接触面積を大きくすることによって、光源モジュール１００から発生する熱を最大限速く伝達できるためである。
【０１２４】
図７Ａ〜図７Ｃは、放熱部の位置を示す図である。
【０１２５】
図７Ａに示すように、放熱突出ライン５５３は、カバープレート５００のうち第２のリフレクタ３００に接触する領域に配列される。
【０１２６】
そして、放熱突出ライン５５３は、図７Ｂに示すように、カバープレート５００のうち光源モジュール１００に接触する領域に配列されるか、図７Ｃに示すように、カバープレート５００のうち第１のリフレクタ２００に接触する領域に配列されることもある。
【０１２７】
図８は、放熱突出ラインの断面を示す図である。
【０１２８】
図８に示すように、各放熱突出ライン５５３は、カバープレート５００に接触する第１の面の面積Ｓ１と第１の面に対向する第２の面の面積Ｓ２が同一又は異なり、各放熱突出ライン５５３の第１の面の面積Ｓ１が第１の面に対向する第２の面の面積Ｓ２より大きい。
【０１２９】
その理由は、前記のように構成すると、光源モジュール１００から発生する熱を最大限速く伝達できるためである。
【０１３０】
場合によって、多数の放熱突出ライン５５３のうち少なくとも一つは、厚さ及び高さなどが異なることもある。
【０１３１】
図９Ａ及び図９Ｂは、放熱突出ラインの形状を示す図である。
【０１３２】
図９Ａに示すように、多数の放熱突出ライン５５３ａ、５５３ｂ、５５３ｃ、５５３ｄのうち光源モジュール１００に隣接した領域に配置される放熱突出ライン５５３ａは、光源モジュール１００から遠い領域に配置される放熱突出ライン５５３ａより厚い。
【０１３３】
また、図９Ｂに示すように、多数の放熱突出ライン５５３ａ、５５３ｂ、５５３ｃ、５５３ｄのうち光源モジュール１００に隣接した領域に配置される放熱突出ライン５５３ａは、光源モジュール１００から遠い領域に配置される放熱突出ライン５５３ａより高い。
【０１３４】
このように放熱突出ライン５５３を配置する理由は、光源モジュール１００に近いほど熱の温度が高いので、温度の高い領域に配置される放熱突出ライン５５３の表面積を広げることによって、熱を円滑に放出できるためである。
【０１３５】
そして、光源モジュール１００から発生した熱の放出効果をより高めるために、カバープレート５５０のうち光源モジュール１００に接触する領域は、第２のリフレクタ３００に接触する領域の厚さより厚く形成することができる。
【０１３６】
そして、追加的に、光源モジュール１００とカバープレート５００との間にはサーマルパッドが配置される。
【０１３７】
そして、第２のリフレクタ３００と接触するカバープレート５００は、第２のリフレクタ３００の下部表面の形状と同一に曲面を有することができる。
【０１３８】
ここで、カバープレート５００には、図１０に示すように、第２のリフレクタ３００と接触する領域に多数の溝５５５が形成されるが、各溝５５５は各放熱突出ライン５５３に対応して形成される。
【０１３９】
そして、各溝５５５に第２のリフレクタ３００の突起が挿入された構造となる。
【０１４０】
すなわち、第２のリフレクタ３００の下部面には多数の突起が備えられるが、各突起は、カバープレート５００の溝５５５に挿入され、放熱突出ライン５５３は、各溝５５５に対応して配置される。
【０１４１】
このように放熱突出ライン５５３に相応して溝５５５を形成する理由は、第２のリフレクタ３００との締結を強化するためであり、さらに、放熱突出ライン５５３の放熱面積を増加させるためである。
【０１４２】
本実施例の放熱部は、多数の領域に配置されるが、２エッジ方式のバックライトユニットと同様に、多数の光源モジュールを有する場合、放熱部の位置は対称的に同一の位置に適用することもできるが、設計条件によって、放熱部の位置は互いに異なる位置に適用することもできる。
【０１４３】
図１１は、２エッジ方式のバックライトユニットに適用される放熱部の位置を示す図である。
【０１４４】
図１１に示すように、２個の第１のリフレクタ２００ａ、２００ｂは互いに対向するように第１の方向に離隔して配置され、第２のリフレクタ３００は、２個の第１のリフレクタ２００ａ、２００ｂから第１の方向に対して垂直な第２の方向に離隔して配置される。
【０１４５】
そして、第１の光源モジュール１００ａは、第１及び第２のリフレクタ２００ａ、３００の間に配置され、第２の光源モジュール１００ｂは、第１及び第２のリフレクタ２００ｂ、３００の間に配置される。
【０１４６】
そして、第１の放熱部である第１のカバープレート５００ａは、第１の光源モジュール１００ａを支持し、第１のリフレクタ２００ａと第２のリフレクタ３００に接触することができる。
【０１４７】
そして、多数の第１の放熱突出ライン５５３ａは、第１のリフレクタ２００ａに接触する領域、第２のリフレクタ３００に接触する領域、及び第１の光源モジュール１００ａに接触する領域のうち少なくともいずれか一つの領域に配列され、第１の光源モジュール１００ａから発生する熱を放出することができる。
【０１４８】
また、第２の放熱部である第２のカバープレート５００ｂは、第２の光源モジュール１００ｂを支持し、第１のリフレクタ２００ｂと第２のリフレクタ３００に接触することができる。
【０１４９】
そして、多数の第２の放熱突出ライン５５３ｂは、第１のリフレクタ２００ｂに接触する領域、第２のリフレクタ３００に接触する領域、及び第２の光源モジュール１００ｂに接触する領域のうち少なくともいずれか一つの領域に配列され、第２の光源モジュール１００ｂから発生する熱を放出することができる。
【０１５０】
第１及び第２の放熱突出ライン５５３ａ、５５３ｂは、図１１に示すように、対称にならないように互いに異なる領域に配列される。
【０１５１】
しかし、経済的な設計上、第１及び第２の放熱突出ライン５５３ａ、５５３ｂは、互いに対称になるように同一の領域に配列することができる。
【０１５２】
このように、本実施例のバックライトユニットは、第２のリフレクタを含むボトムカバーと、放熱突出ライン及び第１のリフレクタを含むカバープレートと、パネル支持部を含むパネルガイドとが結合された構造となる。
【０１５３】
図１２Ａ〜図１２Ｄは、第２のリフレクタを含むボトムカバーを示す図で、図１３Ａ〜図１３Ｃは、放熱突出ライン及び第１のリフレクタを含むカバープレートを示す図で、図１４Ａ〜図１４Ｃは、パネル支持部を含むパネルガイドを示す図で、図１５Ａ〜図１５Ｃは、ボトムカバー、カバープレート及びパネルガイドが結合されたバックライトユニットを示す図である。
【０１５４】
図１２Ａ〜図１２Ｄに示すように、第２のリフレクタ３００を含むボトムカバーは、射出成形が可能になるようにプラスチックなどの高分子樹脂で製作することができる。
【０１５５】
ボトムカバーは、少なくとも一つの変曲点を有する少なくとも２個の傾斜面を含み、変曲点を中心に隣接する第１及び第２の傾斜面の曲率が互いに異なるように製作される。
【０１５６】
そして、ボトムカバーには、第２のリフレクタ３００の下部面に多数の補強リブ３５０が配置される。
【０１５７】
すなわち、第２のリフレクタ３００は、曲面を有する反射面を備えており、外部環境条件によって変形するおそれがあるので、これを防止するために補強リブ３５０が設置される。
【０１５８】
補強リブ３５０は、第２のリフレクタ３００の傾斜面と対向する後面に配置されるとともに、第２のリフレクタ３００の側面と対向する後面にも配置される。
【０１５９】
また、ボトムカバーには、第２のリフレクタ３００の上部面に光学部材を支持する支持ピン３６０が形成されることもある。
【０１６０】
その理由は、光学部材が第２のリフレクタ３００から離隔し、その間にエアガイドが形成されるので、光学部材の中心領域が下部に垂れるおそれがあるためである。
【０１６１】
ここで、支持ピン３６０は、第２のリフレクタ３００に接触する下部面の面積が上部面の面積よりも広く形成されることが安定的である。
【０１６２】
次に、図１３Ａ〜図１３Ｃに示すように、カバープレート５００は、第１のリフレクタと接触する第１のセグメント、光源モジュールに接触する第２のセグメント、及び第２のリフレクタに接触する第３のセグメントを含むことができる。
【０１６３】
そして、第３のセグメントには、光源モジュールの熱を放出するための放熱突出ライン５５３が形成される。
【０１６４】
カバープレート５００は、第１のセグメントに形成された突出部を用いて光学部材を支持し、第２のセグメントの突出部及び締結溝を用いてパネル支持部であるパネルガイドと結合され、第３のセグメントの突出部を用いて第２のリフレクタの固定部と締結される。
【０１６５】
ここで、カバープレート５００は、第２のリフレクタを含むボトムカバーとは異なる材質からなる。
【０１６６】
すなわち、カバープレート５００は金属からなり、第２のリフレクタを含むボトムカバーは高分子樹脂である。
【０１６７】
そして、図１４Ａ〜図１４Ｃに示すように、パネル支持部６００を含むパネルガイドは、カバープレートの第１のセグメントに締結される突出部と、カバープレートの第２のセグメントに締結される突出部とを含むことができる。
【０１６８】
ここで、フック状の第５の突出部６３０は、カバープレートの第２のセグメントの締結溝に対応するパネルガイド領域にそれぞれ配列される。
【０１６９】
そして、図１５Ａ〜図１５Ｃに示すように、それぞれ製作された第２のリフレクタを含むモールドボトムカバーと、放熱突出ライン及び第１のリフレクタを含むカバープレートと、パネル支持部を含むパネルガイドとを結合し、光学部材４００をカバープレートに締結することによって、バックライトユニットを完成することができる。
【０１７０】
そして、バックライトユニットのパネルガイド上にディスプレイパネルを締結すると、ディスプレイ装置が完成する。
【０１７１】
図１６は、モールドボトムカバーの下部に配置される回路装置を示す図である。
【０１７２】
図１６に示すように、第２のリフレクタ３００の傾斜面の下部には、光源モジュールを駆動するための回路装置３７０が配置される。
【０１７３】
第２のリフレクタ３００の後面には、傾斜面の間に所定の空間が形成されるので、該当の空間に回路装置を配置すると、空間を効率的に利用することができる。
【０１７４】
以上説明したバックライトユニットは、一つの実施例であって、多様な形状に変形可能である。
【０１７５】
第１及び第２のリフレクタ２００、３００は、一部表面が平面又は傾斜面であり、傾斜面は平面又は曲面である。
【０１７６】
また、曲面を有する傾斜面は、凹状の傾斜面又は凸状の傾斜面である。
【０１７７】
したがって、第２のリフレクタ３００は、第１のリフレクタ２００に対して平行でなく、平面、フラット（ｆｌａｔ）な（平坦な）傾斜面、凹状の傾斜面、凸状の傾斜面のうち少なくともいずれか一つである。
【０１７８】
そして、第２のリフレクタ３００は、傾斜面を有するモールドボディーに反射フィルムが付着された構造であってもよく、平面を有するモールドボディーに傾斜面を有する反射フィルムが付着された構造であってもよく、傾斜した反射面を有するモールドボディー自体であってもよい。
【０１７９】
ここで、反射フィルムは、金属又は金属酸化物のうち少なくとも一つを含むことができ、例えば、アルミニウム（Ａｌ）、銀（Ａｇ）、金（Ａｕ）又は二酸化チタニウム（ＴｉＯ２）のように高い反射率を有する金属又は金属酸化物を含んで構成される。
【０１８０】
そして、第１のリフレクタ２００と第２のリフレクタ３００の反射パターンは互いに異なることもある。
【０１８１】
すなわち、第１のリフレクタ２００は、光を正反射させる正反射面を有することができ、第２のリフレクタ３００は、光を乱反射させる乱反射面を有することもできる。
【０１８２】
また、第１のリフレクタ２００は、光を乱反射させる乱反射面を有することができ、第２のリフレクタ３００は光を正反射させる正反射面を有することもできる。
【０１８３】
場合に応じて、第２のリフレクタ３００は、光源モジュール１００に隣接した領域に正反射面を配置し、光源モジュール１００から遠く離れた領域に乱反射面を配置することもできる。
【０１８４】
一方、本実施例は、光源モジュール１００の光出射面を多様な方向に配置することもできる。
【０１８５】
すなわち、光源モジュール１００は、光出射面が光学部材４００と第２の反射面３００との間のエアガイドの方向に向かうように配置された直接出射型構造であってもよく、光出射面が第１のリフレクタ２００、第２のリフレクタ３００及びカバープレート５００の方向のうちいずれか一つの方向に向かうように配置される間接出射型構造であってもよい。
【０１８６】
ここで、間接出射型光源モジュール１００は、出射された光が第１のリフレクタ２００、第２のリフレクタ３００及びカバープレート５００に反射され、反射された光は、再びバックライトユニットのエアガイドの方向に進行することができる。
【０１８７】
このように光源モジュール１００を間接出射型構造で配置する理由は、ホットスポット（ｈｏｔ  ｓｐｏｔ）現象を減少できるためである。
【０１８８】
図１７は、実施例に係るバックライトユニットを有するディスプレイモジュールを示す図である。
【０１８９】
図１７に示すように、ディスプレイモジュール２０は、ディスプレイパネル８００及びバックライトユニット７００を含むことができる。
【０１９０】
ディスプレイパネル８００は、互いに対向して均一なセルギャップを維持するように合着されたカラーフィルタ基板８１０と、ＴＦＴ（Ｔｈｉｎ  Ｆｉｌｍ  Ｔｒａｎｓｉｓｔｏｒ）基板８２０とを含み、前記二つの基板８１０、８２０の間に液晶層（図示せず）が介在する。
【０１９１】
そして、ディスプレイパネル８００の上側及び下側には、それぞれ上部偏光板８３０及び下部偏光板８４０が配置され、より詳細には、カラーフィルタ基板８１０の上面に上部偏光板８３０が配置され、ＴＦＴ基板８２０の下面に下部偏光板８４０が配置される。
【０１９２】
図示していないが、ディスプレイパネル８００の側面には、パネル８００を駆動するための駆動信号を生成するゲート及びデータ駆動部が備えられる。
【０１９３】
図１８及び図１９は、実施例に係るディスプレイ装置を示した図である。
【０１９４】
図１８を参照すると、ディスプレイ装置１は、ディスプレイモジュール２０と、ディスプレイモジュール２０を覆うフロントカバー３０及びバックカバー３５と、バックカバー３５に備えられた駆動部５５と、駆動部５５を覆う駆動部カバー４０を含んで構成される。
【０１９５】
フロントカバー３０は、光を透過させる透明な材質の前面パネル（図示せず）を含むことができ、前面パネルは、一定の間隔を置いてディスプレイモジュール２０を保護し、ディスプレイモジュール２０から放出される光を透過させ、ディスプレイモジュール２０で表示される映像が外部から見えるようにする。
【０１９６】
バックカバー３５は、フロントカバー３０と結合してディスプレイモジュール２０を保護することができる。
【０１９７】
バックカバー３５の一面には駆動部５５が配置される。
【０１９８】
駆動部５５は、駆動制御部５５ａ、メインボード５５ｂ及び電源供給部５５ｃを含むことができる。
【０１９９】
駆動制御部５５ａは、タイミングコントローラーであって、ディスプレイモジュール２０の各ドライバーＩＣに動作タイミングを調節する駆動部である。そして、メインボード５５ｂは、タイミングコントローラーにＶシンク、Ｈシンク及びＲ、Ｇ、Ｂ解像度信号を伝達する駆動部であって、電源供給部５５ｃは、ディスプレイモジュール２０に電源を印加する駆動部である。
【０２００】
駆動部５５は、バックカバー３５に備えられ、駆動部カバー４０によって覆われる。
【０２０１】
バックカバー３５には複数のホールが備えられ、これらホールによってディスプレイモジュール２０と駆動部５５が連結される。また、ディスプレイ装置１を支持するスタンド６０が備えられる。
【０２０２】
一方、図１９に示すように、駆動部５５の駆動制御部５５ａはバックカバー３５に備えられ、メインボード５５ｂと電源ボード５５ｃはスタンド６０に備えられることもある。
【０２０３】
そして、駆動部カバー４０は、バックカバー３５に備えられた駆動部５５のみを覆うことができる。
【０２０４】
実施例では、メインボード５５ｂと電源ボード５５ｃをそれぞれ別途に構成したが、これに限定されることはなく、メインボード５５ｂと電源ボード５５ｃを一つの統合ボードとして構成することもできる。
【０２０５】
以上説明したように、各実施例は、曲率が互いに異なる傾斜面を有するリフレクタを用いて、エアガイドに適した反射部の構造を単純に製作することによって、重さが軽く、大量生産が可能であり、均一な輝度を提供することができる。
【０２０６】
したがって、バックライトユニットの経済性及び信頼性が向上する。
【符号の説明】
【０２０７】
１００：光源モジュール、２００：第１のリフレクタ、３００：第２のリフレクタ、４００：光学部材、５００：カバープレート、６００：パネル支持部
【図１Ａ】
0005989305.tif 000002
【図１Ｂ】
0005989305.tif 000003
【図１Ｃ】
0005989305.tif 000004
【図１Ｄ】
0005989305.tif 000005
【図２Ａ】
0005989305.tif 000006
【図２Ｂ】
0005989305.tif 000007
【図３Ａ】
0005989305.tif 000008
【図３Ｂ】
0005989305.tif 000009
【図４】
0005989305.tif 000010
【図５Ａ】
0005989305.tif 000011
【図５Ｂ】
0005989305.tif 000012
【図５Ｃ】
0005989305.tif 000013
【図５Ｄ】
0005989305.tif 000014
【図６Ａ】
0005989305.tif 000015
【図６Ｂ】
0005989305.tif 000016
【図６Ｃ】
0005989305.tif 000017
【図７Ａ】
0005989305.tif 000018
【図７Ｂ】
0005989305.tif 000019
【図７Ｃ】
0005989305.tif 000020
【図８】
0005989305.tif 000021
【図９Ａ】
0005989305.tif 000022
【図９Ｂ】
0005989305.tif 000023
【図１０】
0005989305.tif 000024
【図１１】
0005989305.tif 000025
【図１２Ａ】
0005989305.tif 000026
【図１２Ｂ】
0005989305.tif 000027
【図１２Ｃ】
0005989305.tif 000028
【図１２Ｄ】
0005989305.tif 000029
【図１３Ａ】
0005989305.tif 000030
【図１３Ｂ】
0005989305.tif 000031
【図１３Ｃ】
0005989305.tif 000032
【図１４Ａ】
0005989305.tif 000033
【図１４Ｂ】
0005989305.tif 000034
【図１４Ｃ】
0005989305.tif 000035
【図１５Ａ】
0005989305.tif 000036
【図１５Ｂ】
0005989305.tif 000037
【図１５Ｃ】
0005989305.tif 000038
【図１６】
0005989305.tif 000039
【図１７】
0005989305.tif 000040
【図１８】
0005989305.tif 000041
【図１９】
0005989305.tif 000042